(57)【要約】      （修正有）【課題】オペレータが設備状況を管理するうえで、特に設備状況の正常／異常を判断するための手助けとなるようにグラフ表示を行う施設管理装置を提供する。【解決手段】管理対象となる設備機器の状態情報をあらかじめ決められた周期で収集する設備データ収集手段と、前記設備データ収集手段で収集した設備データを収集時刻とともに記録する設備データ記憶手段と、表示されたメニューのなかからオペレータが所望のグラフ画面を選択するグラフ選択手段と、選択されたグラフに定義されている管理対象の評価期間および評価基準を入力する評価判断基準入力手段と、前記入力された評価判断基準に基づいてグラフデータの異常判定を行う異常判定手段と、定義されたグラフ設定データに従って、グラフ表示するグラフ表示手段とを備えた。【選択図】図１
2014102778.tif 000002
【特許請求の範囲】
【請求項１】
管理対象となる設備機器の状態情報を収集し、蓄積された設備情報をあらかじめ定義されたグラフ設定データに応じてグラフデータを生成し、オペレータの要求により生成されたグラフの画面表示を行なう施設管理装置において、
管理対象となる設備機器の状態情報をあらかじめ決められた周期で収集する設備データ収集手段と、前記設備データ収集手段で収集した設備データを収集時刻とともに記録する設備データ記憶手段と、表示されたメニューのなかからオペレータが所望のグラフ画面を選択するグラフ選択手段と、選択されたグラフに定義されている管理対象の評価期間および評価基準を入力する評価判断基準入力手段と、前記入力された評価判断基準に基づいてグラフデータの異常判定を行う異常判定手段と、定義されたグラフ設定データに従って、グラフを表示するグラフ表示手段とを備えたことを特徴とする施設管理装置。
【請求項２】
前記評価基準入力手段は、あらかじめ定義されたグラフ設定データに応じて、所定の期間に複数の設備データの条件を組み合わせ、統計処理を行う処理手段を備えることを特徴とする請求項１に記載の施設管理装置。
【請求項３】
前記グラフ選択手段にて選択されたグラフは、選択された順番に記録しておくグラフ表示履歴記録手段を備え、記録された表示履歴は、一覧表示され、オペレータ操作により変更できることを特徴とする請求項１に記載の施設管理装置。
【請求項４】
管理対象となる設備機器の状態情報を収集し、蓄積された設備情報をあらかじめ定義されたグラフ設定データに応じてグラフデータを生成し、オペレータの要求により生成されたグラフの画面表示を行なう施設管理方法において、
管理対象となる設備機器の状態情報をあらかじめ決められた周期で収集する設備データ収集ステップと、前記設備データ収集ステップで収集した設備データを収集時刻とともに記録する設備データ記憶ステップと、表示されたメニューのなかからオペレータが所望のグラフ画面を選択するグラフ選択ステップと、選択されたグラフに定義されている管理対象の評価期間および評価基準を入力する評価判断基準入力ステップと、入力された評価判断基準に基づいて表示するグラフデータの異常判定を行う異常判定ステップと、定義されたグラフ設定データ従って、グラフを表示するグラフ表示ステップとを備えたことを特徴とする施設管理方法。
【発明の詳細な説明】
【技術分野】
【０００１】
この発明は、テナントビル、ホテル、学校、病院などの施設において、設備情報を収集蓄積し、これら設備の異常判断を収集した設備情報のグラフを確認して行う施設管理装置に関するものである。
【背景技術】
【０００２】
従来、施設管理装置においては、オペレータによる設備情報の履歴データの解析を行なうために、収集され蓄積されている各種機器の稼動状態（ポンプのＯＮ／ＯＦＦ状況、空調機のＯＮ／ＯＦＦ状況など）、その機器による環境の状態（温湿度、冷水送水温度、風量、送水圧など）、機器ごとに使用するエネルギー使用量など各種の管理ポイントが定義され、この管理ポイントのデータを定期的に収集し、蓄積している。この蓄積されたデータは、オペレータからの要求に応じ、トレンドデータやヒストグラムなどの履歴表示のグラフとして画面上に表示される。これらのグラフはエネルギー使用量の分析、温熱環境評価、空調制御解析などに用いられ、管理ポイントが多くなればなるほど様々な用途で用いられる多くのグラフが用意されている。
【０００３】
このため、現在開かれているウインドウのグラフを1画面にマトリクス状に表示し、マトリクス状に表示されているグラフを指定し位置を変更する。また、画面上から設定される複合条件を記憶しておき、複合条件が成立したグラフを表示するなどしている。（たとえば、特許文献１参照）
【先行技術文献】
【特許文献】
【０００４】
【特許文献１】特開２００２−２５８９３９号公報
【発明の概要】
【発明が解決しようとする課題】
【０００５】
しかしながら、グラフをマトリクス状に表示し、解析のための複合条件を入力したとしても、大規模な施設においては、様々な観点から状況把握が必要であり、確認するグラフ表示数は膨大となる。したがって、オペレータが設備状況を監視するには、時間と手間がかかり、設備の異常を見逃してしまうといったヒューマンエラーを誘発する。
【０００６】
この発明は、これらの課題を解決するためになされたもので、その目的とするところは、オペレータが設備状況を管理するうえで、特に設備状況の正常／異常を判断するための手助けとなるようにグラフ表示を行う施設管理装置を提供する。
【課題を解決するための手段】
【０００７】
このような目的を達成するために、本発明に係る施設管理装置は、管理対象となる設備機器の状態情報を収集し、蓄積された設備情報をあらかじめ定義されたグラフ設定データに応じてグラフデータを生成し、オペレータの要求により生成されたグラフの画面表示を行なう施設管理装置において、
管理対象となる設備機器の状態情報をあらかじめ決められた周期で収集する設備データ収集手段と、前記設備データ収集手段で収集した設備データを収集時刻とともに記録する設備データ記憶手段と、表示されたメニューのなかからオペレータが所望のグラフ画面を選択するグラフ選択手段と、選択されたグラフに定義されている管理対象の評価期間および評価基準を入力する評価判断基準入力手段と、前記入力された評価判断基準に基づいてグラフデータの異常判定を行う異常判定手段と、定義されたグラフ設定データに従って、グラフ表示するグラフ表示手段とを備えたことを特徴とする。
【０００８】
また、本発明に係る施設管理装置は、異常を判定するための評価基準について、あらかじめ定義されたグラフ設定データに応じて、所定の期間に複数の設備データの条件を組み合わせ、統計処理を行う処理手段を備えることを特徴とする。
【０００９】
また、本発明に係る施設管理装置は、グラフ選択手段にて選択されたグラフは、選択された順番に記録しておくグラフ表示履歴記録手段を備え、記録された表示履歴は、一覧表示され、オペレータ操作により変更できることを特徴とする。
【発明の効果】
【００１０】
この発明によれば、設備が正常に稼動しているかどうかについて、入力された評価判断基準を用いて異常を容易に発見できるようになる。これにより、多くのグラフの中から異常が発生しているグラフを短い時間で特定したうえで設備情報を把握することができ、問題の分析範囲を効率よく、迅速に行うことができるようになり、施設管理の業務効率を大幅に改善することができるようになる。
【００１１】
また、オペレータが表示したグラフの履歴を保存することにより、過去の確認手順と同様に判断することにより、判断のばらつきが少なくなり、管理業務の質が向上する。
【００１２】
また、膨大な数のグラフのなかから曜日別、表示頻度といった面からオペレータに提供することにより、さらに迅速な判断ができるようになる。
【図面の簡単な説明】
【００１３】
【図１】実施の形態に係る施設管理装置のブロック図である。
【図２】選択メニューの一例である
【図３】評価グループ一覧の設定画面の一例である
【図４】グラフ表示の一例である
【図５】管理ポイント一覧画面の一例である
【図６】実施の形態に係る施設管理方法の処理フローである
【発明を実施するための形態】
【００１４】
以下、本発明の実施の形態を図面に基づいて説明する。尚、異なる実施の形態において、同一又は同様の作用効果を奏する箇所については、同一の符号を付してその説明を省略する。
【００１５】
〔実施の形態１〕
図１はこの発明に係る施設管理装置１００の概略構成を示すブロック図である。施設管理装置１００は、ＣＰＵ、ＲＡＭ、ＲＯＭ、インタフェース、ディスプレイ、キーボード、マウス等を備えたコンピュータであり、ＣＰＵは、ＲＡＭにアクセスしながら、ＲＯＭに格納されたプログラムにしたがって動作する。
【００１６】
テナントビルには、各種の設備（たとえば、空調、熱源、エレベータ、防犯、防災、照明など）（図示しない）が設けられている。施設管理装置１００は、テナントビル内の各種管理ポイントからの情報（ポンプのＯＮ／ＯＦＦ状況、空調機のＯＮ／ＯＦＦ状況、温湿度、冷水送水温度、風量、送水圧、インバータ回転数、弁開度など）や各種設備のエネルギー消費量などを通信回線を介して定期的に収集する設備データ収集手段１と、収集したデータをメモリ等の記憶部に収集した時刻とともに蓄積していく設備データ記憶手段２とを備えている。管理ポイントは、アドレス、計測ポイント名称、単位等が定義されたものである。一方、グラフ種類（たとえば、時系列グラフ、分布系グラフ）、グラフ上に表示する管理ポイント、グラフ表示範囲、グラフ表示開始終了時刻、グラフコメント等をあらかじめ設定定義された項目に基づきプログラムが動作して、グラフデータを生成し、記録されるグラフ生成手段３を備えている。また、設備管理に関する区分、および統括されたグループ名称などを、グラフ属性として備えている。
【００１７】
評価判断基準入力手段４は、グラフごとに正常／異常を判断するための条件を設定するものである。たとえば、月間合計電力量が目標値を上回ったかどうか、3ヶ月間の温湿度分布が一定割合以上目標値内にあるかどうか、1ヶ月のＰＭＶ値が所定範囲内にあるかどうか等、単に上下限警報の上限値および下限値の比較で異常を判断するのではなく、設備の複数の管理ポイントの条件により統計的に加工や比較を行うように判断基準データを設定できるようにしたものである。
【００１８】
図２に示すように、画面上のメニューを選択すると、ツリー構造のグラフ選択メニューが表示される。グラフ選択メニューは、グラフ属性として定義されたグループごとに表示される。たとえば、グラフ属性として定義されているグループ一覧として、図３に示すように、１：エネルギー性能評価（熱源）、２：エネルギー性能評価（空調）、３：ＰＭＶ制御一覧等が定義され、所望のグループを選択すると、そのグループに所属するグラフの評価基準一覧が表示される。ここでは、分析したい項目として、熱源や空調の異常個所を特定したい場合のグループ、室内の快適性を確認したいグループなどで分類されている。さらに、各々のグラフを選択すると、グラフに表示する管理ポイントがグラフ設定データとして定義されている。このグループの階層にグラフをツリー構造で表示している。グラフ選択手段５により、グラフを選択すると、グラフ表示手段８により画面上にグラフが表示される。
【００１９】
表示履歴記録手段６は、オペレータの操作に従い、表示されたグラフを時系列に履歴データとして記録するものである。記録された表示履歴データは、表示頻度の多い順、曜日順、オペレータ別などに並べかえて表示するようにしてもよい。
【００２０】
また、オペレータは記録された表示履歴から過去と同じ手順で複数のグラフを表示することで、異常の有無の再確認や不要な履歴の削除や判断に必要なグラフの追加を行うことができる。これにより、さらに分析の精度を上げることができる。
【００２１】
異常判定手段７は、評価判断基準入力手段４で入力した条件に基づき、異常判定を行うものである。たとえば、「熱源機器のエネルギー性能を評価する」とする。グラフを表示するためにあらかじめ定義されている管理ポイントの名称やデータ等を時刻とあわせて表示するようにしたものである。
【００２２】
ここで、「グラフ表示」を選択すると、図４に示すようにグラフ表示手段８により選択されたグラフが画面に表示される。なお、グラフ属性が同じグラフを重ねて表示することも可能である。
【００２３】
表示されたグラフ上の所定の範囲を選択すると、図５に示すように、管理ポイント一覧が表示される。ここでは、データ収集時刻もあわせて一覧表示されるため、いつの時点のどのデータに問題があったかを容易に見つけることができる。
【００２４】
この例では、２つのデータの相関を示す散布図において、管理状態を示す領域からはみ出したプロットを選択すると、そこに含まれるデータを管理ポイントの名称とそのデータの収集時刻とともに表示するようにしたものである。
【００２５】
図６は、本発明の施設管理方法の処理フローを示したものである。オペレータが、画面に表示されたメニューから「エネルギー管理」を選択すると（ＳＴ１０のＹｅｓ）、エネルギー管理のためにあらかじめ設定されたツリー構造のメニューが表示される（ＳＴ１１）。表示されたツリー構造の項目が選択されると（ＳＴ１２のＹｅｓ）、評価期間、フィルターなどの評価項目を設定する（ＳＴ１３）、設定された評価項目に従って、「グラフ表示」を選択すると（ＳＴ１４のＹｅｓ）、選択されたグラフが表示され、判定基準にしたがい、異常判定を行う（ＳＴ１５）。
【００２６】
本発明の実施形態を図面を参照して詳述してきたが、具体的な構成は、上述した実施の形態の構成に限られるものではなく、本発明の趣旨を逸脱しない範囲の設計の変更などがあっても本発明に含まれることは言うまでもない。
【符号の説明】
【００２７】
１：設備データ収集手段、２：設備データ記憶手段、３：グラフデータ生成手段、４：評価判断基準入力手段、５：グラフ選択手段、６：表示履歴記録手段、７：異常判定手段、８：グラフ表示手段
【図１】
2014102778.tif 000003
【図２】
2014102778.tif 000004
【図３】
2014102778.tif 000005
【図４】
2014102778.tif 000006
【図５】
2014102778.tif 000007
【図６】
2014102778.tif 000008